(57)【要約】      （修正有）【課題】簡単なプッシュ操作で引出し／戻しの切換が行えるハンドルロックレバーのハンドルロック機能を利用して、配電盤の扉パネルの施錠／解錠操作が行える外部操作ハンドル装置を提供する。【解決手段】配電盤などに配備した回路遮断器を盤外から開閉操作する外部操作ハンドル装置において、引出し式のハンドルロックレバー８を備えたハンドル４と、配電盤の扉パネルとの間をインターロックする扉ロックレバーを備え、盤扉を解錠させるＯＰＥＮ位置でハンドルロックレバー８を引出し位置に係止保持するとともに、このＯＰＥＮ位置でハンドル４に連繋した扉ロックレバーを解錠位置に拘束保持するための切換え操作手段として、ハート形の段付き溝カム１６、制御バー１７、付勢ばね１８を備え、１回目のプッシュ操作でハンドルロックレバー８を引出し位置に係止保持し、２回目のプッシュ操作で待機位置に戻すオルタネイト動作式のカム機構１５を設ける。【選択図】図１
2008077972.tif 000002
【特許請求の範囲】
【請求項１】
配電盤などの盤内に配備した回路遮断器を盤外から開閉操作する外部操作ハンドル装置であって、その取付ベースに引出し式のハンドルロックレバーを備えたロータリー式のハンドル、該ハンドルと回路遮断器のロッカー式ハンドルとの間を連繋するドライブ機構、および前記ハンドルと盤扉との間をインターロックする扉ロックレバーを搭載した構造になり、ハンドル操作により回路遮断器のＯＮ，ＯＦＦ、およびＯＰＥＮ位置で盤扉の解錠を行うようにしたものにおいて、
盤扉を解錠させるＯＰＥＮ位置でハンドルに設けたハンドルロックレバーを引出し位置に係止保持し、このＯＰＥＮ位置でハンドルに連繋した扉ロックレバーを解錠位置に拘束保持するようにしたことを特徴とする回路遮断器の外部操作ハンドル装置。
【請求項２】
請求項１に記載の外部操作ハンドル装置において、ハンドルのＯＮ，ＯＦＦ，およびＯＰＥＮ位置でハンドルロックレバーを手動で引出し／待機位置に切換える操作手段として、１回目のプッシュ操作でハンドルロックレバーを引出し位置に係止保持し、２回目のプッシュ操作で待機位置に戻すオルタネイト動作式のカム機構を設けたことを特徴とする回路遮断器の外部操作ハンドル装置。
【請求項３】
請求項２に記載の外部操作ハンドル装置において、ハンドルロックレバーに設けたオルタネイト動作式のカム機構が、ハート形のカム経路を有する段付き溝カムと、先端の鉤部を段付きカム面に押し当てて他端をハンドルに固定した制御バーと、ハンドルロックレバーをロック位置に向けて押圧する付勢ばねとからなり、前記溝カムは、ハート形のカム経路に方向性のあるラチェット歯状の段差を有することを特徴とする回路遮断器の外部操作ハンドル装置。
【請求項４】
請求項３に記載の外部操作ハンドル装置において、段付き溝カムがハンドルロックレバーの側面に彫り込まれていることを特徴とする外部操作ハンドル装置。
【請求項５】
請求項３に記載の外部操作ハンドル装置において、制御バーが線加工ばねであり、線ばねの先端を鋭角に屈曲して鉤部を形成し、後端をＣ字状に折り曲げてハンドルに形成した固定溝に圧入保持したことを特徴とする外部操作ハンドル装置。
【発明の詳細な説明】
【技術分野】
【０００１】
本発明は、配線用遮断器，漏電遮断器などの回路遮断器に適用する外部操作ハンドル装置に関する。
【背景技術】
【０００２】
配線用遮断器，漏電遮断器などの付属装置として、配電盤，制御盤などの盤内に配備した回路遮断器を盤外から開閉操作する外部操作ハンドル装置が周知である（例えば、特許文献１参照）。
この外部操作ハンドル装置は、その取付ベースにロータリー式のハンドル、および該ハンドルと回路遮断器のロッカー式ハンドルとを連繋するドライブ機構を搭載した構造になり、盤内に配備した回路遮断器に当該外部操作ハンドル装置を組付けた状態で、盤外から前記ハンドルを回転操作して回路遮断器のハンドルをＯＮ，ＯＦＦ位置に駆動する。
【０００３】
また、前記の外部操作ハンドル装置について、ハンドルと盤の扉パネルとの間をインターロックし、常時は扉パネルを閉位置に施錠して不用意に扉を開けることができないようにする扉ロック機構を備えた構成のものが知られている（例えば、特許文献２参照）。
さらに、外部操作ハンドル装置のハンドルに引出し式のハンドルロックレバーを組み付け、ハンドルのＯＦＦ位置（ないしＯＮ位置）で外方に引出したロックレバーに南京錠を掛けてハンドルをこの位置に鎖錠したハンドルロック機構も公知である（例えば、特許文献３参照）。
【０００４】
次に、前記の扉ロック機構，ハンドルロック機構を備えた外部操作ハンドル装置の従来構造を図７，図８に示す。各図において、１は回路遮断器、２は回路遮断器１の前面に組付けた外部操作ハンドル装置である。ここで、回路遮断器１は、本体ケース１ａに固定接触子１ｂ、可動接触子１ｃ、トグルリンク式の開閉機構１ｄ、ケース１ａの頂部に配したロッカー式の開閉ハンドル１ｅ、および過電流引外し装置１ｆなどの機能部品を内装して構成されている。
【０００５】
上記回路遮断器１の開閉動作は周知の通りであり、ハンドル１ｅを図示のＯＮ位置から右側のＯＦＦ位置に倒すと開閉機構１ｄのトグルリンクが反転動作し、その開閉ばねの付勢を受けて可動接触子１ｃが開極動作する。また、主回路に過電流が流れて過電流引外し装置１ｆが作動すると開閉機構１ｄがトリップ動作し、これに従動して可動接触子１ｃが開極して電流を自動遮断する。なお、このトリップ動作によりハンドル１ｅは、開閉機構１ｄのトグルリンクの動きに従動してＯＮ位置とＯＦＦ位置との中間位置に移動して停止する。
【０００６】
一方、外部操作ハンドル装置２は、特許文献１にも詳しく述べられているように、取付ベース３にロータリー式のハンドル４、ターンベース５，スライドベース６を組合せたドライブ機構、およびハンドルカバー７を搭載した構成になる。
ここで、外部操作ハンドル装置２のターンベース（クランクアーム）５はハンドル４の軸に直結ないしラッチを介して連結されている。一方、スライドベース６は取付ベース３の裏面側に組み付けて、回路遮断器１のハンドル１ｅの開閉方向へスライド可能に案内支持されており、その板面中央にはスライド方向と直交する向きに長穴を開口し、この長穴に前記ターンベース５に設けたピン（クランクピン）５ａを嵌合してハンドル４と連繋するようにしている。また、スライドベース６には、前記ハンドル１ｅの把手を前後から挟むようにハンドルアーム６ａが突き出しており、回路遮断器１に装着した状態（図７参照）では、ハンドルアーム６ａの間にハンドル１ｅが噛み合っている。なお、ハンドルカバー７の端面には銘板７ａを貼着してハンドル４の位置（ＯＮ，ＴＲＩＰ，ＯＦＦ，ＯＰＥＮ）を表示するようにしている。
【０００７】
かかる構成で、ハンドル４をＯＮ，ＯＦＦ位置に回転操作すると、この回転運動がターンベース５，スライドベース６により直線運動に変換される。これにより、スライドベース６のハンドルアーム６ａを介して回路遮断器１のハンドル１ｅがＯＮ，ＯＦＦ位置に駆動されて主回路接点が閉極，開極動作する。
また、前記の外部操作ハンドル装置２には、ハンドル４をＯＦＦ（ないしはＯＮ）位置に鎖錠するハンドルロック手段として引出し式のハンドルロックレバー８、および盤扉との間のインターロック手段として扉ロックレバー９を備えている。
【０００８】
図９は回路遮断器１に装備した外部操作ハンドル装置２と配電盤などの扉パネルとの間のインターロックを表す分解斜視図である。ここで、１０は配電盤の扉パネル、１１は扉パネル１０に開口したハンドル穴１０ａに合わせてパネル前面に取付けた化粧板、１２はパネル１０の裏面に取付けて化粧板１１と共締めした掛け金板、１２ａが掛け金板１２の内周側縁に形成した掛け金であり、この掛け金１２ａに外部操作ハンドル装置２に設けた扉ロックレバー９を掛けて扉パネル１０を閉位置に施錠するようにインターロックされている。
【０００９】
次に、前記した扉ロック機構の詳細構造，および動作を図１０で説明する。すなわち、扉ロックレバー９は図９に示した掛け金１２ａと対向するように外部操作ハンドル装置２のハンドルカバー７と取付ベース３との間から側方に突き出している。この扉ロックレバー９は図１０で示すようにハンドルカバー７の裏面側に支軸（リリースピン）９ａを介して回動自在に枢支され、そのカム部が前記ハンドル４の軸４ａに連結したターンベース５の突起部５ｂの移動経路に突き出している。また、扉ロックレバー９の下側には該ロックレバーを施錠，解錠位置に拘束保持する山形突起付きの板ばね１３を備えている。
【００１０】
上記構成の扉ロックレバー９による扉パネル１０の施錠，解錠操作は先記の特許文献２に詳しく述べられており、常時は扉ロックレバー９が図１０の鎖線位置に停止していて扉パネルの掛け金１２ａに係合し、図９の扉パネル１０が開かないように閉位置に施錠している。この状態から扉パネル１０を開く場合には、先ずハンドル４（図８参照）をＯＦＦ位置に回して回路遮断器１を開極させた後、ハンドル４をこのＯＦＦ位置からさらにＯＰＥＮ位置に向けて回す。これにより、図１０のターンベース５が反時計方向に回動して来てターンベース５の突起５ｂが扉ロックレバー９のカム部を押す。その結果、扉ロックレバー９は支軸９ａを支点に時計方向に傾動して掛け金１２ａから離脱する。同時に扉ロックレバー９が前記した板ばね１３に形成した山形突起１３ａを乗り越えて解錠位置に自己保持される。この状態になると扉パネル１０とのインターロックが解除されて扉を自由に開くことができる。なお、ハンドル４をＯＰＥＮ位置に回した後に手を離すと、ハンドル４はＯＦＦ位置に戻る。また、開放している扉パネル１０を閉じると、前記掛け金１２ａに対向して図９の掛け金板１２に設けた戻し用爪（不図示）が扉ロックレバー９の下縁に突き当たって該ロックレバーを施錠位置に向けて押し戻す。これにより扉ロックレバー９は前記板ばね１３の山形突起１３ａを乗り越えて施錠位置に自己保持される。
【００１１】
なお、扉ロックレバー９の復帰動作について、前記板ばね１３の取付座を２箇所に設け、板ばね１３の取付座を選択することで手動復帰，あるいは自動復帰に変更できるようにした方式も知られている（例えば、特許文献４参照）。
一方、図８の外部操作ハンドル装置２に設けたハンドルロックレバー８の機能，動作は特許文献３に詳しく述べられている。すなわち、ハンドル４をＯＦＦ（もしくはＯＮ）位置に回したところで、図１１（ａ），（ｂ）で示すようにハンドルロックレバー８に指を掛けてハンドル４の外周側（矢印方向）に引出した上で、このハンドルロックレバー８に南京錠１４を掛けることにより、ハンドル４がこの位置に鎖錠される。
【特許文献１】特開２００５−１４９９１８号公報（図５−図７）
【特許文献２】特開平５−６７４２３号公報
【特許文献３】特開２００２−２５４１１号公報（図１４）
【特許文献４】特開平９−３１２１１９号公報
【発明の開示】
【発明が解決しようとする課題】
【００１２】
ところで、前記した従来構造の外部操作ハンドル装置は、扉パネルロック機構，ハンドルロック機構の操作，機能面で次記のような問題点がある。
すなわち、図１０で述べたように、ハンドル４をＯＰＥＮ位置に回して解錠させた扉ロックレバー９を解錠位置に自己保持させるために、従来構造では扉ロックレバー９のカム部に対向して配置した板ばね１３の山形突起１３ａを利用するようにしている。しかしながら、この方式では扉ロックレバー９を施錠／解錠位置に自己保持させる調整範囲が狭くて板ばね１３の形状，寸法精度の影響を受けやすく、そのため長期使用の間に板ばね１３が変形したりすると扉パネルの解錠／施錠位置での自己保持が不安定になることがある。また、扉ロックレバー９と盤側に設けた掛け金１２ａとの間の調整も微妙に影響を受ける。このために、回路遮断器１を配電盤内に配置した現場で、外部操作ハンドル装置２の扉ロックレバー９と扉パネル１０（図９参照）に取り付けた掛け金板１２との関係位置を正しく設定するには、その調整作業にかなりの手間と時間を要し、その改善策がユーザーから強く要望されている。
【００１３】
また、ハンドル４に設けたハンドルロックレバー８についても、そのロック／釈放にはその都度ロックレバー８に指を掛けて引出し，押し込むようにしているために、その操作が面倒である。
本発明は上記の点に鑑みなされたものであり、その目的は前記課題を解決し、簡単なプッシュ操作でハンドルロックレバーの引出し／戻しの切換が行え、さらにこのハンドルロックレバーのハンドルロック機能を巧みに利用して配電盤の扉パネルとの間をインターロックする扉ロックレバーの施錠／解錠操作が行えるように改良した回路遮断器の外部操作ハンドル装置を提供することを目的とする。
【課題を解決するための手段】
【００１４】
上記目的を達成するために、本発明によれば、配電盤などの盤内に配備した回路遮断器を盤外から開閉操作する外部操作ハンドル装置であって、その取付ベースに引出し式のハンドルロックレバーを備えたロータリー式のハンドル、該ハンドルと回路遮断器のロッカー式ハンドルとの間を連繋するドライブ機構、および前記ハンドルと盤扉との間をインターロックする扉ロックレバーを搭載した構造になり、ハンドル操作により回路遮断器のＯＮ，ＯＦＦ、およびＯＰＥＮ位置で盤扉の解錠を行うようにしたものにおいて、
盤扉を解錠させるＯＰＥＮ位置でハンドルに設けたハンドルロックレバーを引出し位置に係止保持し、このＯＰＥＮ位置でハンドルに連繋した扉ロックレバーを解錠位置に拘束保持するようにするものとし（請求項１）、具体的には次記のような態様で構成する。
（１）前記ハンドルのＯＮ，ＯＦＦ，およびＯＰＥＮ位置で、ハンドルに設けたハンドルロックレバーを手動で引出し／待機位置に切換える操作手段として、１回目のプッシュ操作によりハンドルロックレバーを引出し位置に係止保持し、２回目のプッシュ操作で待機位置に戻すオルタネイト動作式のカム機構を設ける（請求項２）。
（２）前項（１）において、ハンドルロックレバーに設けたオルタネイト動作式カム機構が、ハート形のカム経路を有する段付き溝カムと、先端の鉤部を段付きカム面に押し当てて他端をハンドルに固定した制御バーと、ハンドルロックレバーをロック位置に向けて押圧する付勢ばねとからなり、前記溝カムは、ハート形のカム経路に方向性のあるラチェット歯状の段差を形成する（請求項３）。
（３）前項（２）において、段付き溝カムは、ハンドルロックレバーの側面に彫り込んで形成する（請求項４）。
（４）前項（２）において、制御バーが線加工ばねであり、線ばねの先端を鋭角に屈曲して鉤部を形成し、後端をＣ字状に折り曲げてハンドルに形成した固定溝に圧入保持する（請求項５）
【発明の効果】
【００１５】
上記構成の外部操作ハンドル装置によれば、ＯＮ，ＯＦＦ位置のほかに、ハンドルをＯＦＦ位置からＯＰＥＮ位置に回してハンドルロックレバーを手動でプッシュ操作すると、カム機構のオルタネイト動作によりハンドルロックレバーがＯＰＥＮ引出し位置に係止保持される。また、この状態からハンドルロックレバーを再度プッシュ操作すると、ロックレバーは元の待機位置に戻る。
【００１６】
したがって、配電盤の扉パネルとのインターロックを解除して扉パネルを開く場合に、ハンドルをＯＰＥＮ位置に回して扉ロックレバーを解錠位置に移動させた上で、ハンドルロックレバーをプッシュ操作することにより、ハンドルがこのＯＰＥＮ位置に係止固定されてハンドルに連繋する扉ロックレバーが解錠位置に拘束保持されるようになる。なお、この状態ではハンドルから手を離しても扉ロックレバーが復帰することなしに解錠位置を保持し続ける。これにより、盤パネルを安全に開くことができる。
【００１７】
しかも、ハンドルロックレバーを引出し／戻し位置に切換える操作手段として、オルタネイト動作式のカム機構を設けたことでハンドルレバーの切換えが簡単なプッシュ操作により行えるので、ハンドルをＯＮ，ＯＦＦ，ＯＰＥＮの各位置で鎖錠するハンドルロックレバーの操作性が向上する。
【発明を実施するための最良の形態】
【００１８】
以下、本発明の実施の形態を図１〜図６に示す実施例に基づいて説明する。なお、図１，図２はハンドルの構造図、図３はハンドルロックレバーに設けたオルタネイト動作式カム機構の展開図、図４はハンドルカバーの平面図、図５はハンドルカバーの裏面側に設けた扉ロックレバーの構造図、図６は回路遮断器に組み付けた外部操作ハンドル装置の全体構造図であり、実施例の図中で図７〜図１０に対応する部材には同じ符号を付してその説明は省略する。
【００１９】
すなわち、図６に示した外部操作ハンドル装置は、図７，図８の従来構造と基本的に同様であるが、図示実施例のハンドル４には、詳細を後記するオルタネイト動作式のカム機構１５が新たに追加されている。さらに、ハンドル４を載置したケースカバー７の頂面に開口した穴の内周縁には（図４参照）、ハンドル４のＯＮ，ＯＦＦ位置のほかに扉パネルを解錠させるＯＰＥＮ位置に対応して、ハンドルロックレバー８を引出し位置に係止固定するようにロック溝１９ａ〜１９ｃが形成されており、以下その各部の詳細構造，機能動作を説明する。
【００２０】
まず、図１，図２において、ハンドル４の摘み部にはハンドルロックレバー８が矢印Ｐ方向へ引出し，押し込み可能に組み込まれている。このハンドルロックレバー８はガイドピン８ｂを介してハンドル４に案内支持されている。また、外側端部には南京錠の掛け穴８ａが、さらにハンドルロックレバーの底部にはハンドルカバー７に係止固定する係止用リブ８ｃが形成されており、該係止用リブ８ｃはハンドル４の円盤状鍔部４ｂに切欠いた半径方向の逃げ溝４ｂ−１を通して下方に突き出している。
【００２１】
また、ハンドル４には次記構造になるオルタネイト動作式のカム機構１５が構築されている。このカム機構１５は、ハンドルロックレバー８の側面に彫り込まれた段付き溝カム１６と、先端をＬ形に屈曲して溝カム１６のカム面に摺動させる制御バー１７と、ハンドルロックレバー８を引出し方向に押圧する付勢ばね（圧縮コイルばね）１８とからなる。ここで、制御バー１７は線細工ばねで作られており、線ばねの先端をＬ字形（鋭角）に屈曲し、他端をＣ字状に折り曲げてハンドル４の内部に形成したスリット状の固定溝４ｃに圧入して固定している。
【００２２】
次に、前記した段付き溝カム１６の詳細な形状を図３（ａ），（ｂ）に示す。この溝カム１６は、Ａ部を起点としてＢ，Ｃ，Ｄ，Ｅ，Ｆ，Ｇ，Ｈ部を経由してＡ部に戻るカム経路が（ａ）図のようにハート形をなしており、その経路に沿ったコーナー部には方向性を持たせてラチェット歯状の段差Ｂ，Ｄ，Ｆ，Ｈ部が形成されている。
上記構成のカム機構１５で、ハンドルロックレバー８がハンドル４の中に収まっている状態では、制御バー１７の先端鉤部が図３に示したカム経路のＥ部に停止しており、この位置を待機位置Ｐ１とする。この状態からハンドルロックレバー８の外側端に指を押し当ててハンドル４の内側にプッシュすると（１回目のプッシュ操作）、制御バー１７の先端鉤部が段差部Ｆの傾斜面を乗り越えてＧ部に移行する（逆方向には段差部Ｄに遮られてＣ部に逆行することはない）。ここでハンドルロックレバー８から手を離すと、ロックレバーは付勢ばね１８のばね力を受けて引出し方向にスライド移動し、この移動過程で制御バー１７の先端鉤部がＧ部から段差部Ｈの傾斜面を乗り越えてＡ部に移る。この位置をロック位置Ｐ２とし、この状態ではハンドルロックレバー８の外側端部がハンドル４の外周側に突き出すようになる。また、この状態からハンドルロックレバー８を再度ハンドル４の内側に押し込む（２回目のプッシュ操作）と、制御バー１７の先端鉤部が段差部Ｂの傾斜面を乗り越えてＣ部に移行する（逆方向には段差部Ｂに遮られてＡ部に逆行することはない）。ここでハンドルロックレバー８から手を離すと、ロックレバーは付勢ばね１８のばね力を受けて押し戻され、この移動過程で制御バー１７の先端鉤部がＣ部から段差部Ｄの傾斜面を乗り越えてＥ部（待機位置Ｐ１）に戻る。これにより、ハンドルロックレバー８は当初の待機位置に復帰する。
【００２３】
一方、前記したハンドルロック機構に関連して、ハンドル４を載置支持するハンドルカバー７の頂面には次記のようなロック溝が形成されている。すなわち、図４において、ハンドルカバー７の頂面に開口した穴の内周縁には、ハンドル４のＯＮ，ＯＦＦおよびＯＰＥＮ位置に対応してハンドル４から引き出した前記ハンドルロックレバー８の係止用リブ８ｃを係止固定（回り止め）するロック溝１９ａ，１９ｂおよび１９ｃが切欠き形成されている。なお、ハンドルのＯＮ，ＯＦＦ位置では、図１１で述べたようにハンドルロックレバー８に南京錠１４を掛けることから、ＯＮ，ＯＦＦ位置に対応するロック溝１９ａ，１９ｂは溝の深さが大である。これに対してＯＰＥＮ位置ではハンドルロックレバー８に南京錠を掛ける必要がないので、ロック溝１９ｃは浅い溝に設定されている。
【００２４】
さらに、図５に示した実施例の扉ロック機構において、扉ロックレバー９は図１０の従来構造と同様に支軸ピン９ａに枢支し、そのレバーカム部がハンドル軸４ａに連結したターンベース５の突起５ｂの移動経路に突き出すように配置されている。ここで、扉ロックレバー９には従来構造における自己保持用の板ばね１３（図１０参照）が設けてなく、その代わりに付勢ばね（引っ張りコイルばね）２０で扉ロックレバー９を施錠方向に付勢するようにしている。
【００２５】
次に、前記構成になる外部操作ハンドル装置２の操作および動作について説明する。まず、ハンドル４をＯＮ，ＯＦＦ位置で鎖錠するには、ハンドル４をＯＮ位置，ないしＯＦＦ位置に回した上で、ハンドルロックレバー８の端部に指を押し当ててハンドル４の内方へ一旦押し込んでから手を離す（１回目のプッシュ操作）。これにより、図３で述べたカム機構１５のオルタネイト動作によりハンドルロックレバー８が引出し位置に移行し、同時に係止用リブ８ｃがハンドルカバー７に形成したロック溝１９ａないし１９ｂに嵌まり込んでこの位置に回り止めされる。そして、この状態でハンドルロックレバー８に南京錠１４を掛ける（図１１参照）ことにより、ハンドル４がＯＮないしＯＦＦ位置に鎖錠される。また、ハンドル４の鎖錠を解除するには、南京錠１４を外した上でハンドルロックレバー８の端部をハンドル４の内方に押し込んでから手を離す（２回目のプッシュ操作）。これにより、ハンドルロックレバー８は待機位置に復帰してハンドル４の内方に収納され、ハンドル４を回すことができるようになる。
【００２６】
一方、図９に示した配電盤の扉パネル１０を開放する場合には、最初に外部操作ハンドル装置２のハンドル４をＯＦＦ位置に回して回路遮断器１を開極した上で、ハンドル４をＯＦＦ位置からさらにＯＰＥＮ位置に移動する。これにより、図５におけるターンベース５の突起５ｂが反時計方向に移動して来て扉ロックレバー９のカム部を押す。その結果、扉ロックレバー９は支軸ピン９ａを支点に時計方向に回動して盤パネルの掛け金１２ａから離脱して扉パネルが解錠される。また、ハンドル４をＯＰＥＮ位置に回すと、図４に示したロック溝１９ｃにハンドルロックレバー９の係止用リブ８ｃが向かい合うようになる。そこで、扉パネルの解錠操作に併せてハンドルロックレバー８をＯＰＥＮ位置でプッシュ操作すると、カム機構１５のオルタネイト動作により前記の係止用リブ８ｃがロック溝１９ｃに嵌まり込んでこの位置に係止固定される。この状態になると、外部操作ハンドル装置２と盤扉との間のインターロックが解除されることになり、ハンドル４から手を離した状態でも扉ロックレバー９は解錠位置に自己保持されるので扉パネル１０を安全に開放することができる。なお、盤扉を閉じて施錠するには開放している扉パネル１０を閉位置に戻し、続いてハンドルロックレバー８をプッシュ操作して待機位置に戻した後、ハンドル４をＯＰＥＮ位置からＯＦＦ位置に戻す。これにより、扉ロックレバー９は解錠位置での自己保持が解除され、さらに付勢ばね２０のばね力を受けて施錠位置に復帰し、盤扉を閉位置に施錠する。
【図面の簡単な説明】
【００２７】
【図１】本発明の実施例による外部操作ハンドル装置のハンドル構造を表す側視断面図
【図２】図１の矢視Ｘ−Ｘ断面図
【図３】図１におけるカム機構の詳細構造図で、（ａ）は段付き溝カムを模式的に表した平面図、（ｂ）は（ａ）のカム経路に沿って展開した溝カムの断面図
【図４】ハンドルのＯＮ，ＯＦＦ，ＯＰＥＮ位置に対応してハンドルカバーの開口内周縁に形成したハンドルロックレバー係止固定用のロック溝を表した図
【図５】本発明実施例の外部操作ハンドル装置に装備した扉ロックレバーの構成配置図
【図６】本発明の実施例による外部操作ハンドル装置を回路遮断器に組み付けた状態での全体構造図
【図７】従来構造の外部操作ハンドル装置を回路遮断器に組み付けた状態の断面図
【図８】図７の外観斜視図
【図９】図７の外部操作ハンドル装置と配電盤の盤扉とのインターロック構造を表す分解斜視図
【図１０】図７の外部操作ハンドル装置に装備した扉ロックレバーの構成配置図
【図１１】図７の外部操作ハンドル装置からハンドルロックレバーを引出して南京錠を掛けたハンドルロック状態を表す図で、（ａ）は平面図、（ｂ）は側面図
【符号の説明】
【００２８】
１    回路遮断器
１ｅ  ロッカー式ハンドル
２    外部操作ハンドル装置
３    取付ベース
４    ハンドル
５    ターンベース
６    スライダベース
７    ハンドルカバー
８    ハンドルロックレバー
８ｃ  係止用リブ
９    扉ロックレバー
１０    配電盤の扉パネル
１２    掛け金板
１２ａ  掛け金
１４    南京錠
１５    オルタネイト動作式カム機構
１６    段付き溝カム
１７    制御バー
１８    付勢ばね
１９ａ〜１９ｃ  ロック溝
【図１】
2008077972.tif 000003
【図２】
2008077972.tif 000004
【図３】
2008077972.tif 000005
【図４】
2008077972.tif 000006
【図５】
2008077972.tif 000007
【図６】
2008077972.tif 000008
【図７】
2008077972.tif 000009
【図８】
2008077972.tif 000010
【図９】
2008077972.tif 000011
【図１０】
2008077972.tif 000012
【図１１】
2008077972.tif 000013